(57)【要約】【課題】切れ目線２  ，２の間のつなぎｃが、切断方向の右又は左に曲って引裂かれることがあっても、殆ど毛羽立ちがなく連続して切断することができる切れ目線２  ，２  ，２  ，…であって、指で引張って切断する時の力の掛け具合で、紙材料の厚み方向に対して斜めに引裂かれた時に、紙むけなどの材料破壊を起し難い、開封後の箱体３０や包装体４０などの体裁を損なう恐れがない紙材料の切れ目線形状を提供する。【解決手段】本発明は、紙材料製又は紙積層材料製の、それぞれ各種形状の箱体３０や包装体４０などに設ける切れ目線２  ，２  ，２  ，…であって、切断方向の上流側から、３／４円形状の切れ目ａの片端に直線状の切れ目ｂを繋いだ、多数の釣針状の切れ目線２  ，２  ，２  ，…を、それぞれつなぎｃを介して１列に並べた紙材料の切れ目線形状である。【選択図】図１
2004238016.tif 000002
【特許請求の範囲】
【請求項１】
紙材料製又は紙積層材料製の、それぞれ各種形状の箱体３０や包装体４０などに設ける切れ目線２  ，２  ，２  ，…であって、切断方向の上流側から、３／４円形状の切れ目ａの片端に直線状の切れ目ｂを繋いだ、多数の釣針状の切れ目線２  ，２  ，２  ，…を、それぞれつなぎｃを介して１列に並べたことを特徴とする紙材料の切れ目線形状。
【発明の詳細な説明】
【０００１】
【発明の属する技術分野】
本発明は、紙材料製又は紙積層材料製の、それぞれ各種形状の箱体３０や包装体４０などに設ける、指で引張って切断する時の力の掛け具合で、紙材料の厚み方向に対して斜めに引裂かれた時に、紙むけなどの材料破壊を起し難い紙材料の切れ目線形状に関する。
【０００２】
【従来の技術】
従来から、紙材料製又は紙積層材料製の、それぞれ各種形状の箱体３０や包装体４０などに設ける、図５Ａ  ，Ｄに示すような、ミシン目線と通称する直線状の切れ目線６  ，６  ，６  ，…や、図５Ｂ  ，Ｅに示すような、切断方向の下流側が屈曲した直線状の切れ目線７  ，７  ，７  ，…や、図５Ｃ  ，Ｆに示すような、切断方向の上流側が開いたハの字状の切れ目線８  ，８  ，８  ，…などが、一般に広く用いられている。
【０００３】
【発明が解決しようとする課題】
ところが従来の、図５Ａ  ，Ｄに示すような、ミシン目線と通称する直線状の切れ目線６  ，６  ，６  ，…については、切れ目線６  ，６  ，６  ，…を指で引張って切断して開封する時に、切れ目線６  ，６の間のつなぎｃが、切断方向の右又は左に曲って引裂かれることがあっても、図５Ｄのつなぎｃ２，ｃ３に示すように、若干の毛羽立ちとともに次の切れ目線６に捕まって、次々に連続して切断することができる直線状の切れ目線６  ，６  ，６  ，…であるものの、指で引張って切断する時の力の掛け具合で、切断開始部分などのつなぎｃが、紙材料の厚み方向に対して斜めに引裂かれることが多くて、図５Ｄのつなぎｃ１に示すように、紙材料の上層又は下層（  図５Ｄでは下層  ）が紙むけを起して、この紙むけが、次々に連続して切断した直線状の切れ目線６  ，６  ，６  ，…に細長く残って、開封後の箱体３０や包装体４０などの体裁を損なうことが問題であった。
【０００４】
また従来の、図５Ｂ  ，Ｅに示すような、切断方向の下流側が屈曲した直線状の切れ目線７  ，７  ，７  ，…については、切れ目線７  ，７  ，７  ，…を指で引張って切断して開封する時に、切れ目線７  ，７の間のつなぎｃが、下流側の屈曲した方向の逆（  図５Ｅでは左  ）に曲って引裂かれる傾向があるために、図５Ｅのつなぎｃ２，ｃ３に示すように、殆ど毛羽立ちがなく次の切れ目線７に捕まって、次々に連続して切断することができる屈曲した直線状の切れ目線７  ，７  ，７  ，…であるものの、指で引張って切断する時の力の掛け具合で、同様に切断開始部分などのつなぎｃが、紙材料の厚み方向に対して斜めに引裂かれることが多くて、図５Ｅのつなぎｃ１に示すように、紙材料の上層又は下層（  図５Ｅでは下層  ）が紙むけを起して、この紙むけが、次々に連続して切断した屈曲した直線状の切れ目線７  ，７  ，７  ，…に細長く残って、開封後の箱体３０や包装体４０などの体裁を損なうことが問題であった。
【０００５】
さらに従来の、図５Ｃ  ，Ｆに示すような、切断方向の上流側が開いたハの字状の切れ目線８  ，８  ，８  ，…については、切れ目線８  ，８  ，８  ，…を指で引張って切断して開封する時に、切れ目線８  ，８の間のつなぎｃが、切断方向の右又は左に曲って引裂かれることがあっても、図５Ｆのつなぎｃ２，ｃ３に示すように、殆ど毛羽立ちがなく次の左右どちらかの切れ目線８に捕まって、次々に連続して切断することができるハの字状の切れ目線８  ，８  ，８  ，…であるものの、指で引張って切断する時の力の掛け具合で、同様に切断開始部分などのつなぎｃが、紙材料の厚み方向に対して斜めに引裂かれることが多くて、図５Ｆのつなぎｃ１に示すように、紙材料の上層又は下層（  図５Ｆでは上層  ）が紙むけを起して、この紙むけが、次々に連続して切断したハの字状の切れ目線８  ，８  ，８  ，…に細長く残って、開封後の箱体３０や包装体４０などの体裁を損なうことが問題であった。
【０００６】
そこで、本発明の目的は、紙材料製又は紙積層材料製の、それぞれ各種形状の箱体３０や包装体４０などに設ける、切れ目線２  ，２の間のつなぎｃが、切断方向の右又は左に曲って引裂かれることがあっても、殆ど毛羽立ちがなく連続して切断することができる切れ目線２  ，２  ，２  ，…であって、指で引張って切断する時の力の掛け具合で、紙材料の厚み方向に対して斜めに引裂かれた時に、紙むけなどの材料破壊を起し難い、開封後の箱体３０や包装体４０などの体裁を損なう恐れがない紙材料の切れ目線形状を提供することにある。
【０００７】
【課題を解決するための手段】
本発明の紙材料の切れ目線形状は、図１  ，図２  ，図３に示すように、紙材料製又は紙積層材料製の、それぞれ各種形状の箱体３０や包装体４０などに設ける切れ目線２  ，２  ，２  ，…であって、切断方向の上流側から、３／４円形状の切れ目ａの片端に直線状の切れ目ｂを繋いだ、多数の釣針状の切れ目線２  ，２  ，２  ，…を、それぞれつなぎｃを介して１列に並べた紙材料の切れ目線形状である。
【０００８】
本発明の紙材料の切れ目線形状においては、例えば図２Ａ  ，Ｂに示すような、適宜の板紙などの紙材料製の、チョコレート菓子などを収容する直方体状の箱体３０の、切断して大きく開封する前面蓋板から蓋面板にかけて設ける切れ目線２，２  ，２  ，…であって、また例えば図３Ａ  ，Ｂに示すような、上質紙にアルミニウム箔やシーラント層などを積層した紙積層材料製の、アイスクリームコーンなどを収容する逆円錐形状の包装体４０の、回しながら切断して開封する上部から下端部にかけて設ける切れ目線２  ，２  ，２  ，…であって、
図１Ａ  ，Ｂに示すように、矢印で示す切断方向の上流側から、３／４円形状の切れ目ａの片端に直線状の切れ目ｂを繋いだ、多数の釣針状の切れ目線２  ，２  ，２  ，…を、それぞれつなぎｃを介して１列に並べたことによって、切れ目線２  ，２  ，２  ，…を指で引張って切断して開封する時に、切れ目線２  ，２の間のつなぎｃが、切断方向の右又は左に曲って引裂かれることがあっても、図１Ｃのつなぎｃ２，ｃ３に示すように、殆ど毛羽立ちがなく次の３／４円形状の切れ目ａに捕まって、直線状の切れ目ｂを経由して、次々に切れ目線２  ，２  ，２  ，…を連続して切断することができる、しかも指で引張って切断する時の力の掛け具合で、切断開始部分などのつなぎｃが、紙材料の厚み方向に対して斜めに引裂かれた時には、図１Ｃのつなぎｃ１に示すように、この傾斜して引裂かれた紙材料の上層と下層とが、同時に次の３／４円形状の、立体的な切れ目ａに捕まるために、紙むけなどの材料破壊を起し難い、開封後の箱体３０や包装体４０などの体裁を損なう恐れがない紙材料の切れ目線形状を提供することができる。
【０００９】
【発明の実施の形態】
本発明の紙材料の切れ目線形状における、３／４円形状の切れ目ａの片端に直線状の切れ目ｂを繋いだ、多数の釣針状の切れ目線２  ，２  ，２  ，…については、図１Ａ  ，Ｂに示すように、矢印で示す切断方向の上流側から、直径が２〜４ｍｍ程度の３／４円形状の切れ目ａの片端に、長さが３〜６ｍｍ程度の直線状の切れ目ｂを繋いだ、多数の釣針状の切れ目線２  ，２  ，２  ，…を、１００〜４００ｇ／ｍ２程度の紙材料製又は紙積層材料製の、前述した図２Ａ  ，Ｂに示すような直方体状の箱体３０や、また前述した図３Ａ  ，Ｂに示すような逆円錐形状の包装体４０などに、それぞれつなぎｃを介して１列に並べて設けることができる。
【００１０】
また、本発明の紙材料の切れ目線形状における、多数の釣針状の切れ目線２  ，２  ，２  ，…を１列に並べた、切れ目線２  ，２の間のつなぎｃについては、展示や保管や運搬などの取扱い時に切断する恐れがなくて、切れ目線２  ，２  ，２  ，…を指で引張った時に切断し易いつなぎｃであって、１００〜４００ｇ／ｍ２  程度の紙材料製又は紙積層材料製の、前述した直方体状の箱体３０や逆円錐形状の包装体４０などに、紙材料の抄紙方向に平行で引裂かれ易い部分には、それぞれ間隔が２〜４ｍｍ程度のつなぎｃを介して、また紙材料の抄紙方向に直角で引裂かれ難い部分には、それぞれ間隔が１〜２ｍｍ程度のつなぎｃを介して、多数の釣針状の切れ目線２  ，２  ，２  ，…を１列に並べて設けることができる。
【００１１】
【実施例】
＜実施例１＞
図１Ａは、本発明の実施例１における、紙材料の切れ目線形状の平面図であって、図１Ｂ  ，Ｃは、紙材料の切れ目線形状の、切断前と切断後との状態を示す部分斜視図である。
また図２Ａ  ，Ｂは、本発明の実施例１における、紙材料の切れ目線形状を設けた箱体３０の、開封前と開封後との状態を示す斜視図である。
【００１２】
すなわち、３５０ｇ／ｍ２の裏白コートボール紙の、表面に美麗な印刷をした紙材料製の、チョコレート菓子などを収容する、図２Ａに示す縦と横と高さとが８５×１３５×４２ｍｍの直方体状の箱体３０の、切断して大きく開封する前面蓋板から蓋面板にかけて設ける、つまみ片３から始まる左右２列の、紙材料の抄紙方向にほゞ平行な切れ目線２  ，２  ，２  ，…であって、
図１Ａ  ，Ｂに示すように、つまみ片３から始まる切断方向の上流側から、直径が３．０ｍｍの３／４円形状の、切断して除去するつまみ片３側が開いた切れ目ａの片端に、長さが４．５ｍｍの直線状の切れ目ｂを繋いだ、多数の釣針状の切れ目線２  ，２  ，２  ，…を、それぞれ間隔が２．５ｍｍのつなぎｃを介して１列に並べた紙材料の切れ目線形状を、前述した直方体状の箱体３０の打抜型を用いた打抜工程で、箱体３０の作製と同時に設けた。
【００１３】
次に、図２Ａに示す直方体状の箱体３０の、前面蓋板のつまみ片３に指を掛けて、図２Ｂに示すように、左右２列の切れ目線２  ，２  ，２  ，…を引張って切断して、前面蓋板から蓋面板にかけて大きく開封したところ、切れ目線２  ，２の間のつなぎｃが、切断方向の右又は左に曲って引裂かれることがあっても、殆ど毛羽立ちがなく連続して切断することができる、しかも引張る方向が斜めにならざるを得ない、前面蓋板の上部の左右２列の切れ目線２  ，２  ，２  ，…についても、殆ど紙むけなどを起さずに連続して切断することができる、開封後の箱体３０の体裁を損なう恐れがない紙材料の切れ目線形状を得ることができた。
【００１４】
＜実施例２＞
図１Ａは、本発明の実施例２における、紙材料の切れ目線形状の平面図であって、図１Ｂ  ，Ｃは、紙材料の切れ目線形状の、切断前と切断後との状態を示す部分斜視図である。
また図３Ａ  ，Ｂは、本発明の実施例２における、紙材料の切れ目線形状を設けた包装体４０の、開封前と開封後との状態を示す斜視図である。
【００１５】
すなわち、７μｍのアルミニウム箔と１０５ｇ／ｍ２の上質紙と３０μｍの低密度ポリエチレン層とを積層して、表面のアルミニウム箔に美麗な印刷をした紙積層材料製の、アイスクリームコーンなどを収容する、図３Ａに示す上部の直径が５８ｍｍで高さが１６０ｍｍの逆円錐形状の包装体４０の、回しながら切断して開封する上部から下端部にかけて設ける、つまみ片３から始まる１列の、紙材料の抄紙方向に斜め４５度の切れ目線２  ，２  ，２  ，…であって、
図１Ａ  ，Ｂに示すように、つまみ片３から始まる切断方向の上流側から、直径が２．４ｍｍの３／４円形状の、切断して除去するつまみ片３側が開いた切れ目ａの片端に、長さが３．０ｍｍの直線状の切れ目ｂを繋いだ、多数の釣針状の切れ目線２  ，２  ，２  ，…を、それぞれ間隔が１．８ｍｍのつなぎｃを介して１列に並べた紙材料の切れ目線形状を、前述した逆円錐形状の包装体４０の打抜型を用いた打抜工程で、包装体４０の作製と同時に設けた。
【００１６】
次に、図３Ａに示す逆円錐形状の包装体４０の、上部のつまみ片３に指を掛けて、図３Ｂに示すように、１列の切れ目線２  ，２  ，２  ，…を引張って、回しながら切断して開封したところ、切れ目線２  ，２の間のつなぎｃが、切断方向の右又は左に曲って引裂かれることがあっても、殆ど毛羽立ちがなく連続して切断することができる、しかも回しながら切断して開封するために、引張る方向や力の掛け具合などが変化しても、殆ど紙むけなどを起さずに連続して切断することができる、開封後の包装体４０の体裁を損なう恐れがない紙材料の切れ目線形状を得ることができた。
【００１７】
なお、本発明の他の実施例においては、実施例１  ，実施例２に示す３／４円形状の切れ目ａに替えて、図４Ａに示す切断方向に対して横長の３／４円形状の切れ目ａの、また図４Ｂに示す切断方向に対して縦長の３／４円形状の切れ目ａの、さらに図４Ｃに示す角張った３／４円形状の切れ目ａの、またさらに図４Ｄに示す先端を巻込んだ３／４円形状の切れ目ａの、それぞれの片端に直線状の切れ目ｂを繋いだ、多数の釣針状の切れ目線２  ，２  ，２  ，…を、それぞれつなぎｃを介して１列に並べた紙材料の切れ目線形状を、実施例１の直方体状の箱体３０や実施例２の逆円錐形状の包装体４０などに、必要に応じて適宜に設けることができる。
【００１８】
【発明の効果】
以上、実施例ほかに示すとおり、本発明の紙材料の切れ目線形状においては、紙材料製又は紙積層材料製の、それぞれ各種形状の箱体３０や包装体４０などに設ける、切れ目線２  ，２の間のつなぎｃが、切断方向の右又は左に曲って引裂かれることがあっても、殆ど毛羽立ちがなく連続して切断することができる切れ目線２  ，２  ，２  ，…であって、指で引張って切断する時の力の掛け具合で、紙材料の厚み方向に対して斜めに引裂かれた時に、紙むけなどの材料破壊を起し難い、開封後の箱体３０や包装体４０などの体裁を損なう恐れがない紙材料の切れ目線形状を提供することができる。
【図面の簡単な説明】
【図１】本発明の実施例１  ，実施例２における、図１Ａは、紙材料の切れ目線形状の平面図であって、図１Ｂ  ，Ｃは、紙材料の切れ目線形状の、切断前と切断後との状態を示す部分斜視図である。
【図２】本発明の実施例１における、図２Ａ  ，Ｂは、紙材料の切れ目線形状を設けた箱体３０の、開封前と開封後との状態を示す斜視図である。
【図３】本発明の実施例２における、図３Ａ  ，Ｂは、紙材料の切れ目線形状を設けた包装体４０の、開封前と開封後との状態を示す斜視図である。
【図４】図４Ａ  ，Ｂ  ，Ｃ  ，Ｄは、本発明の他の実施例における、紙材料の切れ目線形状の平面図である。
【図５】図５Ａ  ，Ｂ  ，Ｃは、従来の切れ目線の平面図であって、図５Ｄ  ，Ｅ  ，Ｆは、従来の切れ目線の、切断後の状態を示す部分斜視図である。
【符号の説明】
ａ    …３／４円形状の切れ目
ｂ      …直線状の切れ目
ｃ      …つなぎ
２      …釣針状の切れ目線
３      …つまみ片
６      …直線状の切れ目線
７      …屈曲した直線状の切れ目線
８    …ハの字状の切れ目線
２０    …紙材料
３０    …箱体
４０    …包装体
【図１】
2004238016.tif 000003
【図２】
2004238016.tif 000004
【図３】
2004238016.tif 000005
【図４】
2004238016.tif 000006
【図５】
2004238016.tif 000007